(57)【特許請求の範囲】
【請求項１】
外側表面から延在し、係合リップと、停止表面とを有する通過孔を包囲する環状リブを有するパネルに係止するための電気コネクタであって、
一方の端部に前記通過孔に侵入するための挿入部分を有し、反対の端部に外側部分を有するハウジングであって、前記挿入部分が、係止部材と、前記挿入部分の外壁の周囲に位置付けられる第１の係合部材とを含む、ハウジングと、
該ハウジングから前記挿入部分に隣接して半径方向外向きに延在するフランジであって、前記挿入部分の方向を向くその外端部分に、前記環状リブを受容するためのチャネルを含み、前記コネクタを前記パネルに係止するために前記係合リップを受容するための間隙を画定するように、前記第１の係合部材から離間している、フランジと、
前記環状リブの内側表面と前記内壁との間の半径方向圧縮のために、前記チャネル内において該チャネルの内壁の周囲に配置される封止ガスケットと、
を備え、前記挿入部分の前記通過孔への挿入は、前記環状リブを前記チャネルに侵入させ、前記コネクタの回転は、前記コネクタの逆回転および取り外しを制限するように、前記コネクタを前記パネルに係止するように前記係合リップを前記間隙に侵入させ、前記係止部材を前記停止表面と係合するように移動させる、
電気コネクタ。
【請求項２】
前記挿入部分の外壁は、円筒状であり、前記円筒状壁の反対側に位置付けられる第１および第２の係合部材を含み、該第１および第２の係合部材は、前記コネクタを前記パネルに係止するために前記パネルの開口部の第１および第２の係合リップを受容するための第１および第２の間隙を画定するように、前記フランジから離間している、請求項１に記載の電気コネクタ。
【請求項３】
前記第１および第２の係合部材のうちの１つは、いったん前記係止部材が前記停止表面を係合するのに適切な位置にくると、回転が継続されるのを制限するように、前記係合リップのうちの１つの端部表面を係合するための停止指を含む、請求項２に記載の電気コネクタ。
【請求項４】
前記第１および第２の係合部材のうちの少なくとも１つは、前記コネクタの回転運動を前記パネルに向かう軸方向運動に変換するために、回転方向を向く側に前記それぞれの係合リップと係合するためのカム表面を含む、請求項２に記載の電気コネクタ。
【請求項５】
前記第１および第２の係合部材は、前記コネクタの前記パネルへの挿入を所定の配向に制限するために、異なるサイズである、請求項２に記載の電気コネクタ。
【請求項６】
前記係止部材は、突出する突起を有するカンチレバー状アームであり、前記突起は、回転方向を向く側に、前記コネクタの回転を係止中に前記カンチレバー状アームを偏向させるために前記パネルの付勢タブと係合するための傾斜表面と、前記突起が前記付勢タブを越えて移動する際に前記カンチレバー状アームが反跳した後で前記停止表面を係合するための向き合う直立表面とを含む、請求項２に記載の電気コネクタ。
【請求項７】
前記円筒状外壁は、内部空間を画定し、該内部空間は、前記カンチレバー状アームが前記内部空間に偏向すると、前記カンチレバー状アームに接触するように位置付けられるポストを含む、請求項６に記載の電気コネクタ。
【請求項８】
前記パネルは、区画領域および開放領域を分離し、前記挿入部分は、前記通過孔を通って前記区画領域に侵入する、請求項１に記載の電気コネクタ。
【請求項９】
電気コネクタであって、
挿入部分、中間部分、および端部分を有するハウジングと、
前記挿入部分の外側円筒状表面上に配置される、偏向可能な係止アームと、
前記中間部分から半径方向に延在し、その外端にチャネルを有するフランジであって、前記チャネルは、前記挿入部分の方向を向く、フランジと、
前記挿入部分の前記外側円筒状表面上に配置され、前記フランジとの間に第１および第２の間隙をそれぞれ画定するように前記フランジから離間している、第１および第２の係止タブであって、前記第１および第２の係止タブのうちの少なくとも１つは、戻り止め部材を含む、第１および第２の係止タブと、
半径方向封止圧縮のために、封止ガスケットの係合表面が前記チャネルの向き合う外壁を向くように、前記チャネル内に該チャネルの内壁に対して位置付けられる、封止ガスケットと、
を備え、前記挿入部分のパネル内の通過孔への挿入は、前記封止ガスケットとの封止係合のために、前記通過孔を包囲する環状リブを前記チャネルに移動させ、ねじり係止コネクタの回転は、前記ねじり係止コネクタの逆回転を制限するように、前記パネルの係合部材を、第１および第２の間隙に侵入させ、前記係止タブによって捕獲させ、前記係止アームがパネルの前記開口部内のスロットを係合する点で、回転が継続されるのを制限するように、前記戻り止め部材が前記パネル開口部の戻り止め表面を係合するまで、前記係止アームを偏向させる、
電気コネクタ。
【請求項１０】
前記係止アームが過度に偏向するのを防止するために、前記挿入部分の前記円筒状表面の前記内側上に支持ポストが位置付けられる、請求項９に記載の電気コネクタ。
【請求項１１】
前記パネルは、区画領域および開放領域を分離し、前記挿入部分は、前記通過孔を通って前記区画領域に侵入する、請求項９に記載の電気コネクタ。
【請求項１２】
開放領域および区画領域を分離するパネルに係止するためのねじり係止コネクタであって、
前記パネルは、前記開放領域を向く外側表面と、それぞれが隣接する係合リップを画定する、向き合う第１および第２の鍵掛スロットを含む通過孔と、傾斜表面を有する係止タブスロットと、停止表面を有する嵌合スロットと、前記外側表面上に配置され、前記通過孔を包囲するリブとを備え、前記コネクタは、
一方の端部に前記通過孔を通って前記区画領域に侵入するための挿入部分を有し、反対の端部に外側部分を有し、挿入部分と外側部分との間に中間部分を有する、ハウジングであって、前記外側部分は、前記中間部分から、通過開口部から離れるように延在する、ハウジングと、
前記中間部分から半径方向外向きに延在するフランジであって、外端部分にチャネルを含み、該チャネルは、前記リブを受容するために前記挿入部分の方向を向く、フランジと、
前記挿入部分が侵入すると、前記第１および第２の鍵掛スロットに侵入するための、前記挿入部分の外側表面の反対の端部の周囲に配置される、第１および第２の鍵掛タブであって、前記フランジとの間に前記係合リップを受容するための第１および第２の間隙を画定するように、前記フランジから離間している、第１および第２の鍵掛タブと、
前記挿入部分の前記外側表面上かつ前記第１の鍵掛スロットと第２の鍵掛スロットとの間に配置される係止タブを有する、偏向可能なアームと、
半径方向封止圧縮のために、封止ガスケットの係合表面が前記チャネルの向き合う外壁を向くように、前記チャネル内に該チャネルの内壁に対して位置付けられる、封止ガスケットと、
を備え、前記挿入部分の前記通過孔への挿入は、第１および第２の鍵掛タブに第１および第２の鍵掛スロットを通過させ、前記係止タブを前記係止スロットに侵入させ、前記リブを前記チャネルと嵌合させ、前記コネクタの回転は、前記係合リップを前記フランジと前記鍵掛タブとの間に捕獲するように、前記鍵掛タブを前記係合リップの背後に移動させ、前記係止タブが前記係止スロットと嵌合するまで弾性アームを偏向させて、前記係止タブの前記停止表面との係合によって逆回転を防止するように、前記係止タブを傾斜表面と係合するように移動させる、
ねじり係止コネクタ。
【請求項１３】
前記係止アームが過度に偏向するのを防止するために、前記挿入部分の前記内側上に支持ポストが位置付けられる、請求項１２に記載のねじり係止コネクタ。
【発明の詳細な説明】
【技術分野】
【０００１】
関連出願
本願は、その全体が参照することによって本明細書に組み込まれる、２０１２年３月１日に出願された米国特許仮出願第６１／６０５，２８１号の優先権を主張する。
【０００２】
本開示は、電気コネクタに関し、具体的には、電気的用途のためのバルクヘッド、パネル、または貫通コネクタに関する。具体的には、本明細書に開示されるパネルコネクタは、ある程度の耐水性および耐候性を提供するように、パネルを封止することができる。より具体的には、本開示は、コネクタをねじることによって、またはコネクタの回転によって、パネルに封止係止することができ、外側からパネルに係止することができる、パネルコネクタを目的とする。さらにより具体的には、本開示は、いったんパネルに係止すると解除することができない、パネルコネクタを目的とする。
【背景技術】
【０００３】
パネル電気コネクタは、典型的に、バルクヘッド、壁、若しくはパネルの一方の側から他方の側への通過孔または貫通孔を通る電気接続を提供するために使用される。典型的に、パネルは、２つの空間または領域を相互から分離することができる。例えば、パネルまたは壁は、車両のエンジン室を乗客室から分離することができる。領域のうちの一方を区画領域と称し、もう一方を外部領域と称することができる。一般的に、区画領域は、単に、外部領域より限られたアクセス性を有する領域であってもよい。一例は、筐体の一部を構成するパネルであり得る。区画領域という用語は、囲まれた空間に限定されないが、筐体の内側を区画領域と見なすことができる。したがって、パネルコネクタは、筐体の外部から内部への電気接続を提供することができる。パネルコネクタは、例えば、電力発生および供給システム、ならびに航空および自動車用途等の幅広い用途で使用するのに好適である。
【０００４】
パネルコネクタは、パネルに係止し、コネクタのパネルからの取り外しもしくは解除を可能にするように、またはパネルからの解除もしくは取り外しを防止するように構成されてもよい。いくつかの係止可能なパネルコネクタは、２つの部分を有することができる。取り付け部分をパネル開口部に取り付けることができ、コネクタ部分は、取り付け部分と係止することができる。これらの２部品コネクタは、典型的に、パネルの両側へのアクセスを必要とし、これは、特に狭い筐体または他の区画領域の場合に困難である場合がある。また、パネル内の通過孔と相互作用または嵌合するように構成される、補完的または相互作用型係止構造を有する、１部品パネルコネクタも存在する。
【０００５】
特定の使途では、パネルコネクタは、パネルの露出側から埃、岩屑、または液体がパネルの他方側に侵入するのを防止するように、パネルを封止する能力を含んでもよい。典型的に、水密封止を提供するため、および／またはパネルコネクタの取り外しを防止するために、コネクタは、内側から外側向き設置と称することができる、パネルの区画領域側に設置されるように作製される。このタイプの内側から外側向き設置では、コネクタ端部のうちの一方が区画領域に延在し、反対の端部が通過孔を通って他方の領域または外部領域に延在した状態で、コネクタをパネルの区画領域を向く側に係止し、封止することさえできる。押し込み型または差し込み型コネクタと嵌合するための、パネル開口部を通過し、外部領域に向かって延在する端部を有するコネクタの内側から外側向き設置を用いて、外部領域からパネルコネクタを押すことによって、パネルコネクタをパネルとの係合から押し出すことができる、および／またはパネルコネクタとパネルとの間の封止の完全性を損なわせることができる。また、内側から外側向き設置は、主に関与する空間の狭さのために、困難である、および／または時間がかかる傾向もある。
【発明の概要】
【課題を解決するための手段】
【０００６】
本開示は、単純な係止および効果的かつ強固な封止を提供する、外側から内側向き設置のパネルコネクタであって、パネルの外側面またはよりアクセスしやすい側に係止し、水密封止を提供する、パネルコネクタに関係する。本開示の態様では、コネクタは、単純な係止機構、ならびにパネルからのコネクタの解除および／または解放を防止する能力を有する。
【０００７】
一態様では、本開示は、パネルの外側表面から延在し、係合リップと停止表面とを有する通過孔を包囲する、環状リブを有するパネルに係止するための電気コネクタを目的とする。コネクタは、一方の端部に通過孔に侵入するための挿入部分を有し、反対の端部に外側部分を有するハウジングと、フランジと、封止ガスケットとを含む。挿入部分は、係止部材と、挿入部分の外壁の周囲に位置付けられる第１の係合部材とを含む。フランジは、ハウジングから挿入部分に隣接して半径方向外向きに延在し、挿入部分の方向を向くその外端部分に、環状リブを受容するためのチャネルを含む。フランジは、コネクタをパネルに係止するために係合リップを受容するための間隙を画定するように、第１の係合部材から離間している。封止ガスケットは、環状リブの内側表面と内壁との間の半径方向圧縮のために、チャネル内においてチャネルの内壁の周囲に配置され、挿入部分の通過孔への挿入は、環状リブをチャネルに侵入させ、コネクタの回転は、コネクタの逆回転および取り外しを制限するように、コネクタをパネルに係止するように係合リップを間隙に侵入させ、係止部材を停止表面と係合するように移動させる。
【０００８】
別の態様では、本開示は、開放領域および区画領域をパネルで分離するパネルと共に使用するためのねじり係止電気コネクタであって、戻り止め表面を有する２つの係合リップを含む通過孔と、停止表面を有する嵌合スロットを画定する偏向タブと、開口部を囲み、開放領域に延在する環状リブとを含む、ねじり係止電気コネクタを目的とする。コネクタは、一方の端部に通過孔に侵入するための円筒状挿入部分を有し、反対の端部に嵌合コネクタ部分を有するハウジングと、弾性係止部材と、円筒状挿入部分の周囲に配置される２つの係止タブであって、係止タブのうちの１つが戻り止め部材を含む、係止タブと、ハウジングから挿入部分に隣接して半径方向外向きに延在し、コネクタをパネルに係止するために第１および第２の係合リップを捕獲するための第１および第２の間隙を係止タブとの間に画定するように、係止タブから軸方向に離間している、フランジと、フランジの外端の周囲に形成され、パネルの方向を向く、環状リブを受容するためのチャネルであって、内壁、底壁、および外壁によって画定される、チャネルと、コネクタとパネルとの間に封止を形成するために、内壁と環状リブの内側表面との間の封止圧縮のために係合表面が外壁を向くように、チャネル内において内壁に対して位置付けられる封止ガスケットとを含む。挿入部分の通過孔への挿入は、環状リブにチャネルを係合させ、コネクタの回転は、回転が継続されるのを制限するように、偏向タブを、係止部材に係合させ、戻り止め部材が戻り止め表面を係合する点で嵌合スロットと嵌合するまで偏向させ、停止表面は、逆回転を制限するように、係止部材と協働する。
【０００９】
さらに別の態様では、本開示は、パネルへの係合を係止するためのねじり係止コネクタを目的とする。コネクタは、挿入部分、中間部分、および端部分を有するハウジングと、挿入部分の外側円筒状表面上に配置される、偏向可能な係止アームと、中間部分から半径方向に延在し、その外端に挿入部分の方向を向くチャネルを有する、フランジと、挿入部分の外側円筒状表面上に配置され、フランジとの間にそれぞれ第１および第２の間隙を画定するようにフランジから離間している、第１および第２の係止タブであって、第１および第２の係止タブのうちの少なくとも１つは、戻り止め部材を含む、第１および第２の係止タブと、半径方向封止圧縮のために封止ガスケットの係合表面がチャネルの向き合う外壁を向くように、チャネル内にチャネルの内壁に対して位置付けられる封止ガスケットとを含む。挿入部分のパネル内の通過孔への挿入は、封止ガスケットとの封止係合のために、通過孔を包囲する環状リブをチャネルに移動させ、ねじり係止コネクタの回転は、ねじり係止コネクタの逆回転を制限するように、パネルの係合部材を、第１および第２の間隙に侵入させ、係止タブによって捕獲させ、係止アームがパネルの開口部内のスロットを係合する点で、回転が継続されるのを制限するように、戻り止め部材がパネル開口部の戻り止め表面を係合するまで係止アームを偏向させる。
【００１０】
以下の「発明を実施するための形態」では、同様の参照番号が同様の構成要素を指す、以下の図面が参照される。
【図面の簡単な説明】
【００１１】
【図１】本開示による、パネルに係止するためのパネルコネクタの一実施形態の斜視図である。
【図２】本開示による、パネルに係止された図１のパネルコネクタの斜視図である。
【図３】本開示による、筐体の一部であるパネルに係止されたパネルコネクタの別の実施形態の斜視図である。
【図４】本開示による、パネルコネクタの別の実施形態の斜視図である。
【図５】本開示による、パネルコネクタと係止するためのパネルの一実施形態の斜視図である。
【図６】本開示による、図４に示されるパネルコネクタの別の斜視図である。
【図７】本開示による、パネルに係止された図６に示されるパネルコネクタの正面図である。
【図８】図７の線８−８に沿って切り取った断面図である。
【図９】本筐体による、封止ガスケットの一実施形態の斜視図である。
【図１０】本開示による、図４に示されるパネルコネクタのさらに別の斜視図である。
【図１１】本開示による、パネルに挿入された図６に示されるパネルコネクタの正面図である。
【図１２】本開示による、パネルに係止される直前の、パネルに挿入された図１１に示されるパネルコネクタの詳細な斜視図である。
【図１３】本開示による、パネルに係止された図６のパネルコネクタの斜視図である。
【発明を実施するための形態】
【００１２】
本明細書に開示される詳細な実施形態は、様々な形態で具現化され得る、本明細書に開示される本発明の例示にすぎず、本明細書に開示される具体的な詳細は、限定として解釈されず、単に、特許請求の範囲の基礎として、および実質的に任意の好適な方法で本手法を様々に採用するよう当業者に教示するための代表的な基礎として解釈される。
【００１３】
図１および図２は、それぞれ、パネル「Ｐ」から解放された、およびパネル「Ｐ」に係合された、パネルコネクタ１０の一実施形態を示す。パネル「Ｐ」は、図３に示されるように、筐体の壁の一部であってもよく、または２つの室（図示せず）を分離する壁であってもよい。コネクタ１０は、パネル「Ｐ」の補完的特徴と相互作用または協働する特徴を含むことができる。係止、封止、および／または取り外し防止を提供するようにコネクタ１０と協働するパネルの特徴を、パネルの一部として含むことができる、またはパネル「Ｐ」の典型的な通過孔に取り付けることができる別個のパネル開口部アダプタ上に含むことができる。したがって、本明細書で使用される「パネル」という用語は、パネル自体またはパネルアダプタのいずれかを指すことが理解される。
【００１４】
一実施形態では、パネルコネクタ１０は、コネクタの回転によってパネルに係止するための単一部品コネクタであることができ、パネルの一方側から他方への電気接続を提供することができる。パネルは、コネクタ１０の構造と協働するように構造化された通過孔を含むことができる。コネクタ１０は、信号および／または電力を含む、通過孔を通る電気接続を提供することができ、コネクタ１０の両端部に様々な電気接続インターフェースを含むことができる。コネクタ１０は、埃、岩屑、および／または液体が通過孔を通過するのを妨害または防止する封止を伴って、あるいは伴わずに、パネルに係止することができる。一実施形態では、所望の封止率を提供するように、コネクタ１０をパネル「Ｐ」に係止することができる。コネクタはまた、コネクタのパネルからの取り外しまたは解除を防止するための特徴も含むことができる。実に、パネルコネクタは、上記に識別される特徴のうちの１つ以上を任意の組み合わせで含むことができる。
【００１５】
図４に示される一実施形態では、パネルコネクタ１０は、ハウジング１２を有することができる。ハウジング１２は、一方の端部に挿入部分１４を有し、反対の端部に外側部分１６を有し、挿入部分と外側部分との間に中間部分１８を有することができる。挿入部分１４は、図５に示されるパネル「Ｐ」の一実施形態の開口部「Ｏ」等のパネル通過孔または開口部を通って区画領域に侵入するように構成される、円筒状壁２０を有することができる。図５は、外部領域からのパネル「Ｐ」を示す。コネクタ１０が開口部「Ｏ」を完全に通過するのを防止するために、中間部分１８を開口部「Ｏ」より大きくなるように寸法決定することができる。外側部分１６は、図２に示されるように、挿入部分１４が開口部「Ｏ」に挿入される際、パネル「Ｐ」の外部領域上にあることができる。外側部分１６は、概して長方形の壁２２を有することができる。ハウジングの形状は、様々であることができ、図４に示される実施形態に限定されないことが理解される。特に開口部を封止することが望ましい場合、中間部分１６の形状は、通過開口部の形状に概して対応することが好ましい。
【００１６】
一実施形態では、コネクタ１０は、コネクタ１０をパネル「Ｐ」に係止または固定するために、少なくとも１つの係合部材２４を含むことができる。図６に示されるように、コネクタ１０は、円形壁２０の外側表面２８上に配置される、２つの係合部材２４、２６を有することができる。別の実施形態では、コネクタ１０は、３つ以上の係合部材を有することができる。図６に示されるように、係合部材２４、２６を、円形壁２０の反対側に、中間部分と環状表面との間に間隙３２、３４を画定するように、中間部分１８の環状表面３０から離間させて配置することができる。間隙３２、３４は、パネル「Ｐ」の部分を受容することができる。例えば、図５を参照すると、パネル開口部「Ｏ」は、係合部材２４、２６がスロットを通って開口部「Ｏ」に侵入することができるように寸法決定された、２つのスロット「Ｓ１」、「Ｓ２」を含むことができる。スロット「Ｓ１」、「Ｓ２」は、コネクタ１０が回転すると間隙３２、３４に侵入することができる、隣接する係合リップ「Ｅ１」、「Ｅ２」を画定することができる。係合リップ「Ｅ１」、「Ｅ２」は、対応するスロット「Ｓ１」、「Ｓ２」に係止回転方向に隣接する、パネル「Ｐ」の部分であることができる。図５に見られる係止回転は、矢印「ＣＲ」によって示される時計回り方向である。コネクタ１０をパネル「Ｐ」に固定または係止するために、係合リップ「Ｅ１」、「Ｅ２」の間隙３２、３４内に受容される部分を、係合部材２４、２６と環状表面３０との間に捕捉することができる。図７は、区画領域から見た係止位置のコネクタ１０を示す。
【００１７】
任意選択で、係合部材２４、２６のうちの１つ以上はそれぞれ、カム表面２５、２７をそれぞれ含むことができる（図４および図６）。具体的には、挿入部分１４が通過開口部「Ｏ」を通して完全に挿入されていない時に、コネクタ１０の回転によって、傾斜表面２５、２７が係合リップＥ１、Ｅ２の軸方向に延在する面Ｆ１、Ｆ２に接触し、回転運動の一部を挿入方向の軸方向運動に変換することができるように、カム表面２５、２７を、先端側または回転方向を向く側上に位置付けることができる。カム表面２５、２７の角度を、約１５度〜約６０度、より好ましくは約２５度〜約５０度、さらにより好ましくは約３０度〜約４５度にすることができる。図４および図６に示される実施形態では、カム表面２５、２７の角度を約４５度にすることができる。
【００１８】
一実施形態では、コネクタを逆位置でパネルに取り付けることができないように、コネクタの所望の整合を確実にする鍵掛機能を提供するために、係合部材２４、２６および対応するスロットＳ１、Ｓ２を、異なる寸法または形状にすることができる。例えば、係合部材２４およびスロットＳ１は、係合部材２６およびスロットＳ２より大きい半径方向長さを有することができる。別の実施形態では、異なる寸法または形状である代わりに、適切な整合を確実にするために、係合部材２４、２６を、円形壁２０の周囲に非対称に配置することができる。例えば、円形壁２０の正反対側に配置される、すなわち、相互から１８０度に位置付られる係合部材２４、２６を有する代わりに、係合部材２４、２６を、相互から約１７０度〜約１７９度に配置することができる。
【００１９】
また、コネクタ１０は、パネル「Ｐ」の通過孔「Ｏ」を封止する能力も含むことができる。一実施形態では、中間部分１８は、中間部分から半径方向外向きに延在するフランジ３６を有することができる。フランジ３６は、フランジの内端に環状表面３０を含み、フランジ３６の外端にチャネル３８を含むことができる。図５に示されるように、パネルの外部領域を向く「ＯＡ」側から延在することができる環状リブ「Ｒ」を受容するために、チャネル３８を、挿入部分１４の方向に開放させることができる。図８に示されるように、チャネル３８は、両方とも軸方向に延在する平行な内壁４０および外壁４２と、内壁４０および外壁４２を接続する、半径方向に延在する架橋壁４４とを有することができる。
【００２０】
環状封止ガスケット４６をチャネル３８内に配置することができる。図９に示される環状封止ガスケット４６は、静止表面４８と、反対の係合表面５０とを有することができる。環状リブ「Ｒ」を半径方向に封止するために、係合表面をリブ状にすることができる、または係合表面は、リッジ５２を有することができる。図８に示されるように、リッジ５２が半径方向に延在するように、静止表面４８を内壁４０に配置することができる。封止ガスケット４６は、封止ガスケット４６を内壁４０の周囲に定置するために伸張させることができるように、中間部分１８の直径より小さい直径、具体的には、内壁４０の反対の両側の間で測定した直径より小さい直径を有することができる。封止ガスケット４６の弾性は、ガスケット４６を適所に保持することができる。チャネル３８を、環状リブ「Ｒ」の侵入が封止を作り出すためにリッジ５２を半径方向に圧縮するような寸法にすることができる。一実施形態では、上述の配設によって作り出される封止は、ＩＰ６Ｋ７および／またはＩＰ６Ｋ９Ｋ封止性能を有することができる。例えば、保護外壁４２と組み合わせられた半径方向封止圧縮の組み合わせは、加圧水スプレー試験に対して効果的な封止を提供することができる。ゴムベースのエラストマー材料、シリコーンベースのエラストマー材料、またはエラストマー材料の複合材料等のエラストマー材料から封止ガスケット４６を作製することができる。一実施形態では、シリコーンエラストマー材料から封止ガスケット４６を作製することができる。
【００２１】
任意選択で、コネクタ１０は、コネクタ１０がパネル「Ｐ」から解除されるのを防止する、またはそれに耐えるための係止機構を含むことができる。図１０に示される一実施形態では、コネクタ１０は、弾性係止部材５４を有することができる。係止部材５４は、カンチレバー状アーム５６と、アーム５６の端部に係止タブ５８とを有することができる。タブ５８は、円形壁２０から離れる方向に半径方向外向きに延在することができる。カンチレバーアーム５６は、図１０に示される係止または静止位置から後退位置（図１２参照）に移動することができる。カンチレバー状アーム５６は、円形壁２０の部位を切り取ることによって形成することができる。タブ５８は、図７および図１０に示されるように、タブ５８の回転方向を向く側上に角度付き表面６０を含み、タブ５８の反対側上に直立表面６２を含むことができる。係止部材５４は、以下に記載されるように、いったん係止部材が適切にパネル「Ｐ」を係合すると、コネクタ１０の逆回転および解除に耐えるように、パネル「Ｐ」と協働することができる。
【００２２】
パネル「Ｐ」の外部領域を向く側「ＯＡ」を示す図５、およびパネル「Ｐ」の区画領域を向く側を示す図７を参照すると、開口部「Ｏ」は、タブ５８が侵入するのを可能にするための侵入スロット「ＥＳ」と、コネクタ１０が係止位置にある際にタブ５８が偏向するのに続いてタブ５４を受容するための係止スロット「ＬＳ」とを有することができる。挿入部分１４が開口部「Ｏ」に侵入した際に、リブ「Ｒ」がチャネル３８に侵入し、係合部材２４、２６がスロット「Ｓ１」、「Ｓ２」を通って侵入し、タブ５４が侵入スロット「ＥＳ」内にあることができるように、タブ５８を円形壁２０に沿って軸方向に位置付けることができる。侵入スロット「ＥＳ」は、係止方向に回転すると、タブ５８の角度付き表面６０を係合するように位置付けられる、付勢表面「ＢＳ」を含むことができ、係止スロット「ＬＳ」は、タブ５８の直立表面６２と向き合う関係であり、コネクタ１０が係止位置である際にタブ５８の直立表面６２に接触するための直立停止表面「ＳＳ」を含むことができる。あるいは、付勢表面「ＢＳ」および停止表面「ＳＳ」を、侵入スロット「ＥＳ」と係止スロット「ＬＳ」との間に位置付けられる付勢タブの一部と見なすことができる。付勢表面「ＢＳ」および角度付き表面６０の傾斜または角度を、相互と同様にすることができる。例えば、付勢表面「ＢＳ」および角度付き表面６０をそれぞれ、約１５度〜約６０度、より好ましくは約２５度〜約５０度、およびさらにより好ましくは約３０度〜約４５度にすることができる。一実施形態では、付勢表面「ＢＳ」および角度付き表面６０の両方の角度を、約３０度にすることができる。
【００２３】
図１１に示される挿入位置で、係止タブ５８は、侵入スロット「ＥＳ」内にある。パネル「Ｐ」の区画側からの図であるため、コネクタ１０の回転は、反時計回りの矢印によって示される。そのような回転は、図１２に示されるように、角度付き表面６０を付勢表面「ＢＳ」に接触させ、タブ５８を半径方向内向きにコネクタ１０の中心に向かって偏向させることができる。タブ５８は、図７に示されるように、係止スロット「ＬＳ」に遭遇してタブが反跳するまで、さらなる回転の間、この偏向位置に留まることができる。図７は、係止位置のコネクタ１０を示す。円形壁２０の内側上に位置付けられる支持ポスト５９は、運送または輸送中等に、カンチレバーアーム５６が過度に偏向するのを防止することができる。
【００２４】
逆回転は、タブ５８の直立表面６２の係止スロット「ＬＳ」の停止表面「ＳＳ」への隣接または接触をもたらすことができるため、この係止位置で、コネクタは、コネクタ１０の取り外しに耐える、またはコネクタ１０の取り外しを防止するように、逆回転に耐えることができる。いったんタブ５８が係止スロット「ＬＳ」と嵌合または係合すると、停止表面「ＳＳ」の直立表面６２との接触が、逆回転を防止することができる。また、コネクタ１０は、回転の継続もしくは係止方向への回転、すなわち、図５に示されるように外部領域から見て時計回りであり、図７および図１１に示されるように、区画領域から見て反時計回りの回転に耐える、またはそれを防止することによって、コネクタ１０のパネル「Ｐ」からの解除もしくは取り外しも防止することができる、またはそれに耐えることができる。
【００２５】
一実施形態では、タブ５８は、コネクタ１０が係止方向にさらに回転される際に、図７に示される向き合う停止表面「ＯＳ」に接触するための角度付き表面６０の代わりに、第２の直立表面を有することができる。角度付き表面６０を置換することができる直立表面は、依然として、１０度〜３０度の傾きを有する付勢表面等の適切に傾斜した表面を伴う付勢表面「ＢＳ」によってタブ５８を偏向させることを可能にすることができる。
【００２６】
図１０に示される別の実施形態では、コネクタ１０は、パネル「Ｐ」の停止表面を係合する、またはそれに接触するための戻り止め部材６４を有することができる。図１０に示される実施形態では、戻り止め部材６４は、係合部材２６等の係合部材のうちの１つの部分であることができ、傾斜表面２７と反対の端部から外端１６に向かう方向に軸方向に延在することができる。コネクタ１０が係止方向に回転される際、戻り止め部材６４は、タブ５８が係止スロット「ＬＳ」を係合すると、または係合したわずかに後に、係合リップＥ２の軸方向に延在する面「Ｆ２」に接触することができる（図５参照）。換言すれば、タブ５８が侵入スロット「ＥＳ」から係止スロット「ＬＳ」まで進む距離は、戻り止め部材６４が、軸方向に延在する面「Ｆ２」等の戻り止め表面に接触する前に進む距離と等しいか、またはそれよりわずかに少ないべきである。別の実施形態では、係合部材２４、２６の両方が戻り止め部材を有することができる。代替として、パネル「Ｐ」の区画領域を向く側は、係合部材２４、２６の別の部分が接触することができる、図１０に示される前方表面または先端表面６５等の停止表面を有することができる。
【００２７】
コネクタ１０は、挿入部分１４および外側部分１６への電気接続を可能にするために、様々な接続インターフェースを収容することができる。例えば、挿入部分１４は、区画領域内の別のコネクタまたは電気デバイスからの端子を受容するための１つ以上の雌型接続ポートを有することができ、外側部分１６は、別の嵌合コネクタもしくは電気デバイスに接続するための雄型端子または接触部を有することができる。また、この配設を逆にすることもできる。一実施形態では、コネクタ１０は、図８および図１０に示されるように、挿入部分から外側部分に向かって延在することができる、１つ以上の通路６６を有することができる。通路６６は、ブレード端子（図示せず）の端部が通路６６を通って外端部分１６に向かって延在し、続く図３に示される嵌合コネクタとの嵌合のために、外端部分１６で現れるように、ワイヤまたは他の導体に取り付けられたブレード端子を受容することができる。コネクタ１０は、２列の４本、６本、または８本の通路６６を有することができる。コネクタ１０の内部は、ラッチ正補強（ｐｏｓｉｔｉｖｅ  ｌａｔｃｈ  ｒｅｉｎｆｏｒｃｅｍｅｎｔ：ＰＬＲ）特徴６８を含むことができる。コネクタ１０はまた、コネクタ位置保証（ＣＰＡ）構成要素も含むことができる。
【００２８】
任意選択で、ハウジング１２は、外側部分１６に、外側部分１６で嵌合される嵌合コネクタにコネクタ１０を係止するためのラッチ部材７０を含むことができる。加えて、ハウジング１２は、コネクタが完全に係止された位置にあることを示すために、視覚マーカを含むことができる。例えば、フランジ３６は、コネクタ１０が係止位置にある際に、図１３に示されるようにパネル「Ｐ」上の補助マーカ「Ｍ」と整合することができる、マーカ７０（図６）を含むことができる。
【００２９】
ハウジング１２を構築するために、多くの異なる材料を使用することができる。一実施形態では、プラスチックもしくはポリマー材料またはポリマー複合材料からハウジング１２を作製することができる。例えば、複合ナイロンポリマーからハウジング１２を作製することができる。一実施形態では、２０％のガラス充填ＳＰＳナイロンブレンドからコネクタハウジング１２を作製することができる。
【００３０】
本明細書に開示される本主題は、前述の実施形態を参照して詳細に記載されてきたが、開示される趣旨または範囲から逸脱することなく、他の変更および修正が依然として行われてもよい。明細書に記載される特異的構造および配設は、本明細書に記載される実施形態によって限定されないことが理解される。
【図１】
0005854538.tif 000002
【図２】
0005854538.tif 000003
【図３】
0005854538.tif 000004
【図４】
0005854538.tif 000005
【図５】
0005854538.tif 000006
【図６】
0005854538.tif 000007
【図７】
0005854538.tif 000008
【図８】
0005854538.tif 000009
【図９】
0005854538.tif 000010
【図１０】
0005854538.tif 000011
【図１１】
0005854538.tif 000012
【図１２】
0005854538.tif 000013
【図１３】
0005854538.tif 000014